【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
前掘削縁部（１６）及びこの掘削縁部（１６）の後方に間隔が隔てられた通孔（２４）を含む掘削バケットの掘削リップ（１２）に取り付けるための磨耗アッセンブリ（１０）において、
前作用端（４４）及び後取り付け端（４６）を持つ磨耗部材（１４）であって、この磨耗部材（１４）の前記取り付け端（４６）は前記リップ（１２）を跨ぐ一対の二叉脚部（４８）を含み、各脚部（４８）は、一つの開口部（５８）を有する、磨耗部材（１４）と、
前記取り付け端（４６）及び前記リップ（１２）を係合し、前記磨耗部材（１４）を前記リップ（１２）に保持するため、前記開口部（５８）及び前記通孔（２４）に受け入れられるロック（６０）と、
前記リップ（１２）の各面（１８，２０）に固定されたボス（２８）とを備え、
前記ボス（２８）は、前記脚部（４８）と係合し、前記バケットの使用中加えられた荷重に抗して前記磨耗部材（１４）を支持する、磨耗アッセンブリ（１０）。
【請求項２】
請求項１に記載の磨耗アッセンブリ（１０）において、
前記各ボス（２８）は、前記通孔（２４）の後方に延びている、磨耗アッセンブリ（１０）。
【請求項３】
請求項１又は２に記載の磨耗アッセンブリ（１０）において、
前記各脚部（４８）は、前記ボス（２８）の少なくとも一部（３０）を受け入れるスロット（５０）を含む、磨耗アッセンブリ（１０）。
【請求項４】
請求項３に記載の磨耗アッセンブリ（１０）において、
前記ボス（２８）は横方向肩部（３４）を有し、これらの肩部（３４）は前記スロット（５０）の相補的構造と係合し、前記脚部（４８）を前記リップ（１２）に対して保持する、磨耗アッセンブリ（１０）。
【請求項５】
請求項４に記載の磨耗アッセンブリ（１０）において、
前記ボス（２８）は、前記磨耗部材（１４）の前記スロット（５０）に受け入れられるべき肩部（３４）を含む前部材（３０）と、前記前部材（３０）の少なくとも部分を越えて横方向に延び、追加の支持のため、肩部（３４）に固定されている後部材（３８）とを有する、磨耗アッセンブリ（１０）。
【請求項６】
請求項３乃至５のいずれか一つに記載の磨耗アッセンブリ（１０）において、
前記磨耗部材（１４）は、前記スロット（５０）と前記各脚部（４８）の開口部（５８）との間を延びる横壁（５４）を有し、前記ロック（６０）の後部分と係合する、磨耗アッセンブリ（１０）。
【請求項７】
請求項１乃至６のいずれか一つに記載の磨耗アッセンブリ（１０）において、
前記ロック（６０）は、スプール（６４）と楔（６２）とを有する、磨耗アッセンブリ（１０）。
【請求項８】
請求項７に記載の磨耗アッセンブリ（１０）において、
前記楔（６２）及び前記スプール（６４）は、前記楔（６２）を前記開口部（５８）及び前記通孔（２４）の内外に移動するため、互いに連結されるねじ形成部（６６，７２）を各々有する、磨耗アッセンブリ（１０）。
【請求項９】
請求項８に記載の磨耗アッセンブリ（１０）において、
前記楔（１２）は全体に円錐形形状を有し、前記ねじ形成部として螺旋状溝（６６）を含み、前記スプール（６４）の前記ねじ形成部は、前記螺旋状溝（６６）に受け入れられる少なくとも一つの突出部（７２）を含む、磨耗アッセンブリ（１０）。
【請求項１０】
請求項１乃至９のいずれか一つに記載の磨耗アッセンブリ（１０）において、
前記リップ（１２）に固定され、前記磨耗部材（１４）の後壁（５２）に当接する衝合体（３８，３９）を更に含む、磨耗アッセンブリ（１０）。
【請求項１１】
請求項１乃至１０のいずれか一つに記載の磨耗アッセンブリ（１０）において、
前記磨耗部材（１４）はアダプタであり、前記前作用端（４４）は歯ポイント（４５）を取り付けるためのノーズである、磨耗アッセンブリ（１０）。
【請求項１２】
バケットリップ（１２）において、
掘削バケットの土砂収集キャビティ内に位置決めされた内面（１８）と、
前記内面（１８）とは反対側に位置決めされ、かつ前記バケットの前記土砂収集キャビティの外側に位置決めされた外面（２０）と、
前記内面（１８）と前記外面（２０）とを相互連結する前掘削縁部（１６）と、
磨耗部材（１４）を前記リップ（１２）に固定するロック（６０）を受け入れるための間隔が隔てられた一連の通孔（２４）であって、これらの通孔（２４）の各々は、前記内面（１８）及び前記外面（２０）が開放しており、前記前掘削縁部（１６）の後方に間隔が隔てられている、通孔（２４）と、
前記リップ（１２）に取り付けられた磨耗部材（１４）と係合され、使用中磨耗部材（１４）に支持を提供する複数のボス（２８）であって、少なくとも一つの前記ボス（２８ａ）が前記リップ（１２）の内面（１８）に固定され、少なくとも一つの前記ボス（２８ｂ）が前記リップ（１２）の外面（２０）に固定されて、該ボス（１８）の各々は、前記通孔（２４）の後方で前記リップ（１２）に固定されている、ボスとを備える、バケットリップ（１２）。
【請求項１３】
請求項１２に記載のバケットリップ（１２）において、
前記ボス（２８）の各々は、前記リップ（１２）から遠ざかる方向での前記磨耗部材（１４）の外方への移動に抵抗するため、前記リップ（１２）から間隔が隔てられており且つ全体に前記リップ（１２）に面する保持面（３４）を含む、バケットリップ（１２）。
【請求項１４】
請求項１２又は１３に記載のバケットリップ（１２）において、
前記ボス（２８）の各々は、磨耗部材（１４）の後壁（５２）に夫々当接する、衝合体（３８，３９）を含む、バケットリップ（１２）。
【請求項１５】
請求項１２乃至１４のいずれか一つに記載のバケットリップ（１２）において、
前記通孔（２４）の各々に対し、前記ボス（２８）の一つが前記内面（１８）及び外面（２０）に固定されている、バケットリップ（１２）。
【請求項１６】
バケットのリップ（１２）に沿って取り付けるための磨耗部材（１４）において、
前作用端（４４）と、
後方に延びる一対の二叉脚部（４８）とを含み、
前記各二叉脚部（４８）は、前記リップ（１２）に面する内面と、後壁（５２）と、ロック（６０）を受け入れるための開口部（５８）と、リップ（１２）に固定されたボス（２８）を受け入れるため前記内面及び前記後壁（５２）に開放したスロット（５０）と、前記開口部（５８）の後端と近接し、前記開口部（５８）を通して受け入れられた前記ロック（６０）の後面と係合する前方に面する支承面を形成する、前記各スロット（５０）と軸方向に整合された横壁（５４）とを有する、磨耗部材（１４）。
【請求項１７】
請求項１６に記載の磨耗部材（１４）において、
前記スロット（５０）の各々は、夫々の脚部の内面から間隔が隔てられており且つ内面に面する凹所をなした壁（４３）と、前記ボス（２８）に設けられた相補的構造（３４）と協働し、夫々の脚部（４８）を前記リップ（１２）に対して保持する保持部分（４７）を画成するため、前記凹所をなした壁（４３）と前記内面との間に位置決めされた狭幅部分（４１）とを有する、磨耗部材（１４）。
【請求項１８】
掘削機のリップ（１２）に取り付けるための磨耗部材（１４）であって、
前記リップ（１２）に突出する前作用部分（４４）と、
前記リップ（１２）を跨ぐようになった後方に延びる一対の脚部（４８）とを有し、
前記脚部（４８）は、前記リップ（１２）に面する内面と、反対側の外面と、おおむね前記内面を横切って延びる後壁（５２）と、リップ（１２）に固定されたボス（２８）を受け入れるため前記内面及び前記後壁（５２）に開放したスロット（５０）と、前記脚部（４８）を通って延び、ロック（６０）を受け入れて前記磨耗部材（１４）を前記リップ（１２）に保持するために前記内面及び外面に開放する開口部（５８）とを有し、
前記各開口部（５８）は、前記ロック（６０）の一部を受け入れ且つ固定するための前記外面と隣接する凹部（８３）を有し、
前記各凹部（８３）は、前記夫々の脚部（４８）の内面と外面との間に位置決めされた面によって部分的に画成され、前記リップ（１２）から離間して概ね面し、
前記凹部の面は、おおむね互いに平行である、磨耗部材（１４）。
【請求項１９】
請求項１８に記載の磨耗部材（１４）において、
前記開口部（５８）は、前壁部分と後壁（５２）部分とによって少なくとも一部分が画成され、
前記凹部（８３）は、前記後壁（５２）部分に形成されている、磨耗部材（１４）。
【請求項２０】
請求項１８又は１９に記載の磨耗部材（１４）において、
前記スロット（５０）は、前記開口部（５８）と前記後壁（５２）との間だけに画成されている、磨耗部材（１４）。
【請求項２１】
掘削機のリップ（１２）に取り付けるための磨耗部材（１４）であって、前記リップ（１２）はボス（２８）を有する、磨耗部材（１４）において、
前作用端（４４）と、
前記リップ（１２）を跨ぐ一対の二叉脚部（４８）であって、前記各脚部（４８）は、前記リップ（１２）に面するようになった内壁と、前記リップ（１２）から間隔が隔てられており且つ磨耗面を画成する外壁と、後壁（５２）とを有する、二叉脚部（４８）と、
前記磨耗部材（１４）を前記リップ（１２）に保持するためのロック（６０）を受け入れるため、前記各脚部（４８）を貫通した開口部と、
前記ボス（２８）を受け入れるための、少なくとも一つの脚部（４８）の長さ方向スロットとを含み、
前記スロットは、前記夫々の脚部（４８）の内壁及び後壁（５２）に開放し、前記内壁に沿って内方に延びるレールによって画成された狭幅部分及びこれらのレールと外壁との間の拡大部分を有し、前記レールは前記後壁（５２）と前記開口部（５８）との間を延び、前記ボス（２８）に設けられたレールと係合し且つ協働し、前記脚部（４８）を前記リップ（１２）に保持する、磨耗部材（１４）。
【請求項２２】
請求項２１に記載の磨耗部材（１４）において、
前記レールは前記後壁（５２）と前記開口部（５８）との間だけを延びる、磨耗部材（１４）。
【請求項２３】
請求項２１又は２２に記載の磨耗部材（１４）において、
前記開口部（５８）の後端と近接し、前記開口部（５８）を通して受け入れられた前記ロック（６０）と係合する前方に面する支承面を画成する、前記スロット（５０）の横壁を更に含む、磨耗部材（１４）。
【請求項２４】
掘削機のリップ（１２）に取り付けるための磨耗部材（１４）であって、前記リップ（１２）はボス（２８）を有する、磨耗部材（１４）において、
前作用端（４４）と、
前記リップ（１２）に亘って延びる脚部（４８）であって、該脚部（４８）は前記リップ（１２）に面するようになった内壁と、前記リップ（１２）から間隔が隔てられており且つ磨耗面を画成する外壁とを含む、脚部（４８）と、
前記磨耗部材（１４）を前記リップ（１２）に保持するためのロック（６０）を受け入れるため、前記脚部（４８）を貫通した開口部（５８）と、
前記ボス（２８）を受け入れるための長さ方向スロット（５０）であって、該スロット（５０）は、内壁及び後壁（５２）のところが開放しており、前記内壁に沿って内方に延びるレールによって画成された狭幅部分と、これらのレールと外壁との間の拡大部分とを有し、前記レールは前記後壁（５２）と前記開口部との間を延び、前記ボス（２８）に設けられたレールと係合し且つ協働し、前記脚部（４８）を前記リップ（１２）に保持する、スロット（５０）と、
前記磨耗部材（１４）を前記リップ（１２）に保持するためのロック（６０）と係合するため、支承面を有する前記開口部の後端と近接した前記スロット（５０）の横壁であって、該支承面は、その全体の長さに渡って前記スロット（５０）の縦軸線に対し概ね垂直である、横壁とを含む、磨耗部材（１４）。
【請求項２５】
請求項２４に記載の磨耗部材（１４）において、
前記レールは前記後壁（５２）と前記開口部（５８）との間だけを延びる、磨耗部材（１４）。
【請求項２６】
請求項２４又は２５に記載の磨耗部材（１４）において、
前記脚部（４８）の二つは、前記リップ（１２）を跨ぐように設けられている、磨耗部材（１４）。
【請求項２７】
請求項１６乃至２６のいずれか一つに記載の磨耗部材（１４）において、
前記磨耗部材（１４）は、アダプタであり、前記前作用部分（４４）は、ポイントを取り付けるためのノーズを有する、磨耗部材（１４）。
【請求項２８】
掘削機のリップ（１２）に磨耗部材（１４）を設置する方法であって、前記リップ（１２）は少なくとも一つの通孔（２４）を有する方法において、
横方向開口部（５８）が各々に設けられた後方に延びる一対の脚部（４８）を含む磨耗部材（１４）を、リップ（１２）に、前記脚部（４８）が前記リップ（１２）と前記通孔（２４）とおおむね整合した前記開口部（５８）とを跨ぐように配置する工程と、
ロック（６０）を前記開口部（５８）及び前記通孔（２４）内に配置し、前記磨耗部材を前記リップに保持する工程とを有し、
前記リップに固定されたボス（２８）が前記磨耗部材（１４）と係合して軸方向に移動し、荷重の作用で前記磨耗部材（１４）に対して支持を提供するように前記ロックを挿入する前に、前記磨耗部材（１４）を前記リップ（１２）に対して後方に移動する工程によって特徴付けられている、方法。
【請求項２９】
請求項２８に記載の方法において、
前記磨耗部材（１４）の前記各脚部（４８）は、該磨耗部材（１４）が前記リップ（１２）上で後方に移動されるとき、前記ボス（２８）の一つを受け入れるスロット（５０）を有する、方法。
【請求項３０】
支持構造（１２）に磨耗部材（１４）を取り付けるための方法において、
前記磨耗部材（１４）の穴（２４，５８）と前記支持構造（１２）が開口部を協働的に画成するように前記磨耗部材（１４）を前記支持構造（１２）上に配置する工程と、
前記開口部の第２ねじ形成部と螺合する第１ねじ形成部（６０）を有する楔（６２）を前記開口部に挿入する工程と、
前記楔（６２）を前記開口部に打ち込み、前記磨耗部材（１４）を前記支持構造（１２）にしっかりと保持するために、前記楔（６２）を回転する工程とを有する、方法。
【請求項３１】
請求項３０に記載の方法において、
ねじ形成部（７２）を有するスプール（６４）を前記開口部に挿入し、該ねじ形成部を画成する工程を更に有する、方法。
【請求項３２】
請求項２８乃至３１のいずれか一つに記載の方法において、
前記磨耗部材（１４）は、アダプタであり、前記支持構造（１２）は、掘削バケットのリップである、方法。